(57)【要約】【課題】端子構造が複雑化及び大型化することを抑制できるとともに、部品点数の増大も抑制でき、更に、電線の接続及びハウジングへの装着を容易に行うことができる、端子を提供する。【解決手段】本体部３１は、ハウジング１２に挿入されることでハウジング１２に装着される。電線挿入部３２は、本体部３１の端部に設けられ、電線１００の先端部が挿入される挿入口３２ａを区画するとともに、電線１００の挿入口３２ａへの挿入方向に対する垂直な方向における電線１００の移動を規制するように構成される。導体接続部３３は、本体部３１に設けられ、挿入口３２ａに挿入された電線１００の導体１００ｂに対して電気的に接続される。相手側接続部３４は、本体部３１に設けられ、相手側端子１０２に対して電気的に接続される。【選択図】        図２
2019029055.tif 000002
【特許請求の範囲】
【請求項１】
電線が接続されるとともに電気コネクタのハウジングに装着された状態で相手側端子に接続されて用いられる電気コネクタ用の端子であって、
前記ハウジングに挿入されることで前記ハウジングに装着される本体部と、
前記本体部の端部に設けられ、前記電線の先端部が挿入される挿入口を区画するとともに、前記電線の前記挿入口への挿入方向に対する垂直な方向における前記電線の移動を規制するように構成された電線挿入部と、
前記本体部に設けられ、前記挿入口に挿入された前記電線の導体に対して電気的に接続される導体接続部と、
前記本体部に設けられ、前記相手側端子に対して電気的に接続される相手側接続部と、
を備えていることを特徴とする、端子。
【請求項２】
請求項１に記載の端子であって、
前記挿入口は、前記本体部の端部において、貫通孔として設けられていることを特徴とする、端子。
【請求項３】
請求項１又は請求項２に記載の端子であって、
前記導体接続部は、
前記本体部の内側に設けられて前記導体に対して接触して電気的に接続される電気接点部と、
前記本体部における対向する一対の壁部から前記本体部の内側に向かってそれぞれ片持ち状に延びる板バネ状の部分として設けられ、前記挿入口から挿入された前記電線における前記導体を両側から挟むように構成された一対の接点バネ部と、
を備え、
前記電気接点部は、片持ち状に延びる一対の前記接点バネ部のそれぞれの先端側に設けられていることを特徴とする、端子。
【請求項４】
請求項１乃至請求項３のいずれか１項に記載の端子であって、
前記本体部に設けられ、前記挿入口に挿入された前記電線の前記導体の先端部が当接して位置決めされる位置決め部、を更に備えていることを特徴とする、端子。
【請求項５】
請求項１乃至請求項４のいずれか１項に記載の端子と、
前記端子の前記本体部が挿入される挿入孔を有し、前記挿入孔に挿入された前記端子を保持するように構成されたハウジングと、
を備えていることを特徴とする、電気コネクタ。
【発明の詳細な説明】
【技術分野】
【０００１】
本発明は、電線が接続されるとともに電気コネクタのハウジングに装着された状態で相手側端子に接続されて用いられる電気コネクタ用の端子、及びその端子を備える電気コネクタに関する。
【背景技術】
【０００２】
特許文献１においては、電線が接続されるとともに電気コネクタのハウジングに装着された状態で相手側端子に接続されて用いられる電気コネクタ用の端子、及びその端子を備える電気コネクタが開示されている。
【０００３】
特許文献１に開示された電気コネクタは、絶縁体ハウジング（３）、操作手段（８）、ばね力部材（１１）、及び接点差込部材（１４）を備えた差込コネクタ（２）として構成されている。そして、差込コネクタ（２）においては、電線である電気導体（６）が接続されるとともに絶縁体ハウジング（３）に装着された状態で相手側端子である接点ピン（７）に接続される端子として、ばね力部材（１１）及び接点差込部材（１４）が設けられている。
【０００４】
バネ力部材（１１）は、絶縁体ハウジング（３）の内部に組み込まれて装着され、電気導体（６）を挟持するための部材として設けられている。接点差込部材（１４）は、絶縁体ハウジング（３）の内部に組み込まれて装着され、電気導体（６）に対する接触面（１７）と、接点ピン（７）が差し込まれて接続される接続部材（１８）と、を有して構成されている。
【先行技術文献】
【特許文献】
【０００５】
【特許文献１】特表２００９−５３１８１５号公報
【発明の概要】
【発明が解決しようとする課題】
【０００６】
特許文献１の差込コネクタ（２）の端子は、複雑なばね構造を有するとともに協働して作動することで電気導体（６）に対して接続される複数の部材であるばね力部材（１１）及び接点差込部材（１４）を有して構成されている。このため、特許文献１の差込コネクタ（２）の端子は、端子構造の複雑化及び大型化を招くとともに、部品点数の増大を招いてしまうという問題がある。
【０００７】
また、特許文献１の差込コネクタ（２）においては、複雑なばね構造を有するとともに協働して作動することで電気導体（６）に対して接続されるばね力部材（１１）及び接点差込部材（１４）をハウジングである絶縁体ハウジング（３）の内部に組み込んで装着する必要がある。このため、特許文献１の差込コネクタ（２）の端子をハウジングに装着する作業に多くの手間を要することになる。
【０００８】
更に、特許文献１の差込コネクタ（２）の端子は、電線である電気導体（６）が接続される際には、まず、絶縁体ハウジング（３）の内部に端子を構成するばね力部材（１１）及び接点差込部材（１４）を組み込んで装着する必要がある。そして、その状態で、電線の接続が行われる。このため、特許文献１の差込コネクタ（２）の端子と電線とを接続する作業に多くの手間を要することになる。
【０００９】
本発明は、上記実情に鑑みることにより、端子構造が複雑化及び大型化することを抑制できるとともに、部品点数の増大も抑制でき、更に、電線の接続及びハウジングへの装着を容易に行うことができる、端子を提供することを目的とする。また、その端子を備える電気コネクタを提供することを目的とする。
【課題を解決するための手段】
【００１０】
（１）上記目的を達成するための本発明のある局面に係る端子は、電線が接続されるとともに電気コネクタのハウジングに装着された状態で相手側端子に接続されて用いられる電気コネクタ用の端子である。そして、本発明のある局面に係る端子は、前記ハウジングに挿入されることで前記ハウジングに装着される本体部と、前記本体部の端部に設けられ、前記電線の先端部が挿入される挿入口を区画するとともに、前記電線の前記挿入口への挿入方向に対する垂直な方向における前記電線の移動を規制するように構成された電線挿入部と、前記本体部に設けられ、前記挿入口に挿入された前記電線の導体に対して電気的に接続される導体接続部と、前記本体部に設けられ、前記相手側端子に対して電気的に接続される相手側接続部と、を備えている。
【００１１】
この構成によると、端子は、電線が挿入される電線挿入部と、挿入された電線の導体に接続される導体接続部と、相手側端子に接続される相手側接続部とが設けられ、ハウジングに挿入される本体部、を備えて構成される。このため、上記の構成によると、電線が接続されるとともに電気コネクタのハウジングに装着された状態で相手側端子に接続されて用いられる電気コネクタ用の端子を、簡素な構造で実現することができる。よって、上記の構成によると、端子構造が複雑化及び大型化をすることを抑制することができる。また、電線挿入部、導体接続部、及び相手側接続部が設けられた本体部を含む１つの部品で端子を構成することができる。よって、上記の構成の端子によると、部品点数の増大も抑制することができる。
【００１２】
また、上記の構成によると、電線挿入部、導体接続部、及び相手側接続部が設けられた本体部をハウジングに挿入するだけで、端子をハウジングに装着することができる。よって、上記の構成によると、端子をハウジングに容易に装着することができる。更に、上記の構成の端子によると、端子の本体部の端部の電線挿入部の挿入口から電線の先端部を挿入し、本体部に設けられた導体接続部に電線の導体を接続することで、端子と電線とを接続する作業を容易に行うことができる。また、端子に接続された電線は、端子の本体部の端部の電線挿入部において、電線の挿入口への挿入方向に対する垂直な方向における電線の移動を規制される。このため、端子に接続された電線が端子から過度に変位して端子と電線との接続状態が不安定となってしまうことが抑制され、端子と電線との安定した接続状態が維持される。
【００１３】
以上のように、上記の構成によると、端子構造が複雑化及び大型化することを抑制できるとともに、部品点数の増大も抑制でき、更に、電線の接続及びハウジングへの装着を容易に行うことができる、端子を提供することができる。
【００１４】
（２）前記挿入口は、前記本体部の端部において、貫通孔として設けられていてもよい。
【００１５】
この構成によると、端子の本体部の端部において電線の先端部が挿入される挿入口が、貫通孔として設けられる。このため、電線を端子に接続する作業が行われる際、電線の先端部を端子の端部の貫通孔に挿入する作業が行われるだけでよい。このため、端子と電線とを接続する作業を更に容易に行うことができる。また、電線を挿入するための挿入口が貫通孔として設けられるため、電線の先端部の挿入の際に電線の先端部を誘い込み易い挿入口の構造を実現することができる。よって、電線の先端部を誘い込み易く、電線を挿入して接続し易い端子を実現することができる。
【００１６】
（３）前記導体接続部は、前記本体部の内側に設けられて前記導体に対して接触して電気的に接続される電気接点部と、前記本体部における対向する一対の壁部から前記本体部の内側に向かってそれぞれ片持ち状に延びる板バネ状の部分として設けられ、前記挿入口から挿入された前記電線における前記導体を両側から挟むように構成された一対の接点バネ部と、を備え、前記電気接点部は、片持ち状に延びる一対の前記接点バネ部のそれぞれの先端側に設けられていてもよい。
【００１７】
この構成によると、導体接続部が、それぞれ先端側に電気接点部が設けられて片持ち状に延びる一対の接点バネ部を備えて構成される。そして、端子の本体部の端部の挿入口から挿入された電線の先端部の導体は、本体部の内側において、一対の接点バネ部で挟まれ、一対の接点バネ部の先端側の電気接点部にて接触して端子に対して電気的に接続される。このため、端子の本体部の挿入口から挿入した電線を本体部の内側の導体接続部に容易に接続することができるとともに、電線と導体接続部とをより強固で安定した状態で接続することができる。
【００１８】
（４）前記端子は、前記本体部に設けられ、前記挿入口に挿入された前記電線の前記導体の先端部が当接して位置決めされる位置決め部、を更に備えていてもよい。
【００１９】
この構成によると、端子の本体部の端部の挿入口から挿入した電線を、本体部に設けられた位置決め部に電線の導体の先端部が当接する位置まで端子に対して挿入するだけで、端子に対して電線を容易に位置決めすることができる。このため、上記の構成によると、電線を端子に対して適正位置まで挿入して容易に位置決めする構造を実現することができる。
【００２０】
（５）前述の目的を達成するための本発明のある局面に係る電気コネクタは、前述した本発明のある局面に係る端子と、前記端子の前記本体部が挿入される挿入孔を有し、前記挿入孔に挿入された前記端子を保持するように構成されたハウジングと、を備えている。
【００２１】
この構成によると、前述した本発明のある局面に係る端子と同様の効果を奏することができる。即ち、この構成によると、端子構造が複雑化及び大型化することを抑制できるとともに、部品点数の増大も抑制でき、更に、電線の接続及びハウジングへの装着を容易に行うことができる端子を備える電気コネクタを提供することができる。
【００２２】
（６）前記電気コネクタにおいて、前記端子の前記本体部には、片持ち状に延びる板バネ状の部分を有して前記ハウジングにおける前記挿入孔の内側から前記ハウジングに係合する係合部が設けられ、前記ハウジングには、前記係合部が遊嵌状態で嵌まり込んで係合するように構成された被係合部が設けられていてもよい。
【００２３】
この構成によると、端子の本体部における板バネ状の部分を有する係合部がハウジングの挿入孔の内側からハウジングに係合する。このため、端子をハウジングに挿入して装着した際に、ハウジングに抜け止めされた状態で端子を容易にハウジングに保持させることができる。そして、ハウジングの被係合部は、端子の係合部が遊嵌状態で嵌まり込んで係合するように構成されている。これにより、電気コネクタが相手側コネクタに接続されて、電気コネクタにおける端子が相手側コネクタにおける相手側端子に接続される際に、端子が、相手側端子との位置関係に応じて、ハウジング内で変位することができる。このため、端子と相手側端子との接続の際に、相手側端子との位置関係に応じて相手側端子を誘い込むように端子をハウジング内で変位させることができ、端子と相手側端子とを容易に接続することができる。従って、端子と相手側端子との位置関係において公差程度のずれ量があった場合であっても、そのずれ量を容易に吸収して端子と相手側端子とを容易に接続することができる。
【発明の効果】
【００２４】
本発明によると、端子構造が複雑化及び大型化することを抑制できるとともに、部品点数の増大も抑制でき、更に、電線の接続及びハウジングへの装着を容易に行うことができる、端子を提供することができる。また、本発明によると、その端子を備える電気コネクタを提供することができる。
【図面の簡単な説明】
【００２５】
【図１】本発明の一実施の形態に係る電気コネクタの斜視図であって、電線及び相手側コネクタとともに示す図である。
【図２】電気コネクタの断面を示す斜視図であって、電線及び相手側コネクタとともに示す図である。
【図３】電気コネクタの斜視図である。
【図４】電気コネクタにおけるハウジングを示す図であって、図４（Ａ）は、平面図であり、図４（Ｂ）は、側面図であり、図４（Ｃ）は、背面図である。
【図５】本発明の一実施の形態に係る端子の斜視図であって、電線とともに示す図である。
【図６】端子の斜視図である。
【図７】端子を示す図であって、図７（Ａ）は、平面図であり、図７（Ｂ）は、正面図であり、図７（Ｃ）は、側面図である。
【図８】端子の一部の断面を示す斜視図であって、電線とともに示す図である。
【図９】電気コネクタの断面を示す斜視図であって、電線とともに示す図である。
【図１０】電気コネクタの分割斜視図であって、相手側コネクタとともに示す図である。
【発明を実施するための形態】
【００２６】
以下、本発明を実施するための形態について図面を参照しつつ説明する。尚、本発明は、電線が接続されるとともに電気コネクタのハウジングに装着された状態で相手側端子に接続されて用いられる電気コネクタ用の端子、及びその端子を備える電気コネクタに関して、広く適用することができる。
【００２７】
［電気コネクタの概略］
図１は、本発明の一実施の形態に係る電気コネクタ１の斜視図であって、電線１００及び相手側コネクタ１０１とともに示す図である。図２は、電気コネクタ１の断面を示す斜視図であって、電線１００及び相手側コネクタ１０１とともに示す図である。図３は、電気コネクタ１の斜視図である。尚、図１及び図２では、電線１００については、一部のみが図示されている。
【００２８】
図１乃至図３に示す電気コネクタ１は、複数の電線１００と相手側コネクタ１０１とを電気的に接続するコネクタとして設けられている。そして、電気コネクタ１は、複数の端子１１とハウジング１２とを備えて構成されている。尚、端子１１は、本発明の一実施の形態に係る端子を構成している。
【００２９】
電気コネクタ１の複数の端子１１のそれぞれは、電線１００に対して機械的及び電気的に接続されるとともに、相手側コネクタ１０１における相手側端子１０２に対しても機械的及び電気的に接続されるように構成されている。各端子１１は、導電性を有する金属材料で形成されている。各端子１１は、例えば、電線１００が接続された状態で、ハウジング１２に対して挿入されて装着される。或いは、各端子１１は、ハウジング１２に対して挿入されて装着された状態で、電線１００が接続される。図３においては、電線１００が接続されていない状態の端子１１がハウジング１２に装着された状態の電気コネクタ１を例示している。尚、端子１１の構成の詳細については、後述する。
【００３０】
電気コネクタ１のハウジング１２は、絶縁性を有する樹脂材料で形成され、複数の端子１１を保持するように構成されている。そして、ハウジング１２は、相手側コネクタ１０１に対して機械的に接続される要素として設けられている。ハウジング１２が相手側コネクタ１０１に機械的に接続されることで、複数の端子１１と、相手側コネクタ１０１の複数の相手側端子１０２とが、それぞれ、電気的及び機械的に接続される。尚、ハウジング１２の構成の詳細については、後述する。
【００３１】
電気コネクタ１が接続される相手側コネクタ１０１は、例えば、表裏面の少なくとも一方に導電回路パターンが設けられた基板（図示省略）に対して接続されるコネクタとして構成されている。相手側コネクタ１０１は、複数の相手側端子１０２と、端子台１０３と、を備えて構成されている。
【００３２】
複数の相手側端子１０２のそれぞれは、電気コネクタ１の端子１１に対して機械的及び電気的に接続されるとともに、図示が省略された基板に対しても機械的及び電気的に接続されるように構成されている。各相手側端子１０２は、導電性を有する金属材料で形成され、例えば、ピン状の端子として構成されている。相手側コネクタ１０１が基板に接続される際には、各相手側端子１０２は、はんだ付けにより基板に接続される。
【００３３】
相手側コネクタ１０１の端子台１０３は、絶縁性を有する樹脂材料で形成され、複数の相手側端子１０２を保持するように構成されている。端子台１０３には、複数の相手側端子１０２のそれぞれが圧入される複数の圧入孔１０３ａが設けられている（図２を参照）。各相手側端子１０２は、各圧入孔１０３ａに圧入された状態で、端子台１０３に保持されている。また、端子台１０３には、電気コネクタ１が接続された際に電気コネクタ１のハウジング１２が係合してロックされるハウジングロック部１０３ｂが設けられている。電気コネクタ１と相手側コネクタ１０１とが接続された際には、ハウジング１２が端子台１０３のハウジングロック部１０３ｂに係合することで、ハウジング１２と端子台１０３とが互いに機械的にロックされ、電気コネクタ１の相手側コネクタ１０１からの抜け止めが図られる。
【００３４】
尚、本実施形態では、電気コネクタ１が接続される相手側コネクタとして、基板に接続される相手側コネクタ１０１の形態を例示したが、この通りでなくてもよい。電気コネクタ１が接続される相手側コネクタは、電線１００とは異なる他の電線に対して接続される相手側コネクタの形態であってもよい。
【００３５】
［ハウジング］
図４は、電気コネクタ１のハウジング１２を示す図であって、図４（Ａ）は、平面図（上面図）であり、図４（Ｂ）は、側面図であり、図４（Ｃ）は、背面図である。図１乃至図４に示すハウジング１２は、絶縁性を有する樹脂材料で形成され、複数の端子１１を保持する筐体状の部分を有する部材として設けられている。そして、ハウジング１２は、複数の挿入孔２１、複数の端子接続用孔２２、複数の被係合部２３、ロックアーム２４、一対の接続ガイド２５、等を備えて構成されている。
【００３６】
ハウジング１２の複数の挿入孔２１のそれぞれは、複数の端子１１のそれぞれが挿入される孔として設けられている。各端子１１は、その本体部３１が、各挿入孔２１に挿入される。そして、ハウジング１２は、複数の挿入孔２１のそれぞれに挿入された複数の端子１１を保持するように構成されている。また、複数の挿入孔２１は、ハウジング１２において、相手側コネクタ１０１に接続される側の端部とは反対側の端部にて開口している。このため、各端子１１の本体部３１は、ハウジング１２の各挿入孔２１に対して、相手側コネクタ１０１に接続される側と反対側から挿入される。また、複数の挿入孔２１は、ハウジング１２の幅方向に沿って並んで設けられている。尚、ハウジング１２の幅方向は、図４（Ａ）において、両端矢印Ｘ１で示している。また、ハウジング１２の幅方向が電気コネクタ１の幅方向となる。
【００３７】
ハウジング１２の複数の端子接続用孔２２のそれぞれは、電気コネクタ１と相手側コネクタ１０１との接続の際における各端子１１と各相手側端子１０２との接続のための孔として設けられている。このため、各端子接続用孔２２は、各端子１１と各相手側端子１０２とが接続される際に各相手側端子１０２が挿入される孔として設けられ、ハウジング１２の内部において各挿入孔２１と連通している。そして、複数の端子接続用孔２２は、ハウジング１２において、相手側コネクタ１０１に接続される側の端部にて開口している。
【００３８】
ハウジング１２の複数の被係合部２３のそれぞれは、ハウジング１２の各挿入孔２１に挿入された各端子１１が係合する部分として設けられている。そして、各被係合部２３は、各端子１１における後述の係合部３６が遊嵌状態で嵌まり込んで係合するように構成されている。尚、本実施形態では、各被係合部２３は、ハウジング１２の背面側に設けられ、ハウジング１２の壁部の一部が切り欠かかれた部分の縁部として設けられている。また、各被係合部２３は、ハウジング１２の背面側においてハウジング１２の外部に向かって各挿入孔２１に対応した位置で開口した領域の縁部として設けられている。
【００３９】
ハウジング１２のロックアーム２４は、電気コネクタ１と相手側コネクタ１０１とが接続された際に、端子台１０３のハウジングロック部１０３ｂに対して係合し、ハウジング１２と端子台１０３とを互いに機械的にロックするための部分として設けられている。ロックアーム２４とハウジングロック部１０３ｂとが係合してハウジング１２と端子台１０３とがロックされることで、電気コネクタ１の相手側コネクタ１０１からの抜け止めが図られる。
【００４０】
ロックアーム２４は、ハウジング１２の正面側において、ハウジング１２の幅方向における中央部分に設けられている。ロックアーム２４は、支点部２４ａ、操作部２４ｂ、係合凸部２４ｃを備えて構成されている。支点部２４ａは、ハウジング１２の本体部分と一体に設けられている。そして、ロックアーム２４は、ハウジング１２において支点部２４ａで一体に支持されたシーソー構造を有している。操作部２４ｂは、支点部２４ａに対して片持ち状に支持された部分として設けられている。そして、ロックアーム２４と端子台１０３のハウジングロック部１０３ａとの係合が解除される際に、作業者によって押圧操作が行われる部分として設けられている。係合凸部２４ｃは、ロックアーム２４において突起状に盛り上がった凸部として形成され、端子台１０３のハウジングロック部１０３ａに係合する部分として設けられている。電気コネクタ１と相手側コネクタ１０１とが接続される際には、係合凸部２４ｃとハウジングロック部１０３ａとが当接することで、ロックアーム２４が一旦弾性変形する。そして、弾性変形の後に、係合凸部２４ｃがハウジングロック部１０３ａを乗り越えた状態となると、ロックアーム２４が弾性回復し、係合凸部２４ｃとハウジングロック部１０３ａとが係合する。
【００４１】
ハウジング１２の一対の接続ガイド２５は、電気コネクタ１が相手側コネクタ１０１に接続される際に、ハウジング１２の端子台１０３に対する接続方向をガイドする部分として設けられている。一対の接続ガイド２５のそれぞれは、ハウジング１２の幅方向の両側の縁部のそれぞれにおいて段状に盛り上がった部分として設けられている。そして、一対の接続ガイド２５は、ハウジング１２の幅方向の両側の縁部にて段状に盛り上がった状態でハウジング１２の上下方向に延びる部分として設けられている。尚、ハウジング１２の上下方向は、図４（Ｂ）において、両端矢印Ｘ２で示している。また、ハウジング１２の上下方向が電気コネクタ１の上下方向となる。電気コネクタ１が相手側コネクタ１０１に接続される際には、一対の接続ガイド２５が、端子台１０３の幅方向の両側の縁部に沿って摺動する。これにより、ハウジング１２の端子台１０３に対する接続方向がガイドされる。
【００４２】
［端子］
次に、電気コネクタ１における端子１１について更に詳しく説明する。図５（図５（Ａ）、図５（Ｂ））は、端子１１の斜視図であって、電線１００とともに示す図である。尚、図５では、電線１００については、一部のみが図示されている。また、図５（Ａ）は、端子１１に電線１００が接続されていない状態の斜視図であり、図５（Ｂ）は、端子１１に電線１００が接続された状態の斜視図である。図６（図６（Ａ）、図６（Ｂ））は、端子１１の斜視図である。尚、図６（Ａ）及び図６（Ｂ）は、端子１１をそれぞれ異なる方向から見た状態の斜視図を示している。図７は、端子を示す図であって、図７（Ａ）は、平面図であり、図７（Ｂ）は、正面図であり、図７（Ｃ）は、側面図である。尚、図７における端子１１の正面方向は、図４における電気コネクタ１の正面方向とは独立した方向として定義されている。図２、図３、図５乃至図７に示す端子１１は、本発明の一実施の形態に係る端子を構成しており、電気コネクタ１において複数備えられている。
【００４３】
端子１１は、電線１００が接続されるとともに電気コネクタ１のハウジング１２に装着された状態で相手側端子１０２に接続されて用いられる電気コネクタ１用の端子として構成されている。そして、端子１１は、本体部３１、電線挿入部３２、導体接続部３３、相手側接続部３４、位置決め部３５、係合部３６、フック部３７、等を備えて構成されている。端子１１は、例えば、適宜打ち抜き加工及び切除加工等が施された１枚の金属板が折り曲げ加工されることで形成される。
【００４４】
図２、図３、図５乃至図７に示すように、本体部３１は、略角筒状の基本外形を有し、ハウジング１２の挿入孔２１に挿入されることでハウジング１２に装着されるように構成されている。本体部３１における略角筒状の基本外形部分の断面の外形形状は、挿入孔２１の断面の形状に略対応するように形成されている。
【００４５】
図５乃至図７に示すように、電線挿入部３２は、本体部３１の端部に設けられている。より具体的には、電線挿入部３２は、本体部３１の長手方向における一方の端部に設けられている。尚、本体部３１の長手方向については、図７（Ｂ）において、両端矢印Ｘ３で示している。本体部３１の長手方向が端子１１の長手方向となる。また、電線挿入部３２は、電線１００の先端部が挿入される挿入口３２ａを区画している。挿入口３２ａは、本体部３１の端部において、円形の貫通孔として設けられている。また、電線挿入部３２は、電線１００の挿入口３２ａへの挿入方向に対する垂直な方向における電線１００の移動を規制するように構成されている。即ち、挿入口３２ａに挿入された電線１００は、電線１００の挿入口３２ａへの挿入方向に対して垂直な方向の移動が、挿入口３２ａの円周状の縁部分によって規制される。
【００４６】
本体部３１の端部において円形の貫通孔として設けられた挿入口３２ａの直径寸法は、電線１００の直径寸法に対応した寸法に設定される。より具体的には、例えば、挿入口３２ａの直径寸法は、電線１００の直径寸法よりも僅かに大きい寸法に設定される。また、例えば、直径寸法が比較的大きい太線として電線１００が構成されている場合であれば、太線としての電線１００の直径寸法に対応した孔径の挿入口３２ａが電線挿入部３２に設けられる。一方、直径寸法が比較的小さい細線として電線１００が構成されている場合であれば、細線としての電線１００の直径寸法に対応した孔径の挿入口３２ａが電線挿入部３２に設けられる。このように、電線１００の直径寸法に対応した孔径の挿入口３２ａが電線挿入部３２に設けられることで、電線１００の挿入口３２ａへの挿入方向に対する垂直な方向における電線の移動が適切に規制される。
【００４７】
尚、端子１１では、上記のように、電線１００の直径寸法に対応した孔径の挿入口３２ａが電線挿入部３２に設けられることで、電線１００の挿入口３２ａへの挿入方向に対する垂直な方向における電線１００の移動が適切に規制されている。これにより、端子１１では、挿入口３２ａから本体部３１に挿入された電線１００の先端部が、本体部３１の内部において安定した姿勢で挿入され、後述の導体接続部３３の位置まで適切に誘導される。このため、挿入口３２ａから挿入された電線１００の先端部が、本体部３１の内部で導体接続部３３以外の部分に対して引っ掛かってしまうことを抑制することができる。また、挿入口３２ａから挿入された電線１００の先端部が導体接続部３３に対して不適切な方向から当接して導体接続部３３を損傷してしまうことを抑制することができる。
【００４８】
図８は、端子１１の一部の断面を示す斜視図であって、電線１００とともに示す図である。尚、図８においては、端子１１の一部の断面として、本体部３１の長手方向における一方の端部側の部分であって、電線挿入部３２、導体接続部３３、及び位置決め部３５を含む部分の断面が図示されている。また、図８では、電線１００については、一部のみが図示されている。
【００４９】
図５乃至図８に示す導体接続部３３は、本体部３１に設けられ、挿入口３２ａに挿入された電線１００の先端部の導体１００ｂに対して電気的に接続される部分として構成されている。尚、電線１００は、導電性を有する金属線材として構成された導体１００ｂと、絶縁性を有するゴム材料等で構成されて導体１００ｂの周りを被覆する被覆部１００ａと、を備えて構成されている。電線１００の導体１００ｂは、例えば、１本の金属線材として構成されている。また、電線１００の先端部は、導体１００ｂが外部に露出するように、被覆部１００ａの一部が除去されている（図５（Ａ）及び図８を参照）。そして、電線１００の先端部の導体１００ｂに接続される導体接続部３３は、一対の電気接点部（３８ａ、３８ｂ）と、一対の接点バネ部（３９ａ、３９ｂ）とを備えて構成されている。
【００５０】
一対の電気接点部（３８ａ、３８ｂ）のそれぞれは、本体部３１の内側に設けられて電線１００の先端部の導体１００ｂに対して接触して電気的に接続される部分として設けられている。また、一対の電気接点部（３８ａ、３８ｂ）は、本体部３１の内側において、本体部３１の挿入口３２ａから挿入された電線１００の先端部の導体１００ｂに対して、両側から接触するように配置されている。
【００５１】
一対の接点バネ部（３９ａ、３９ｂ）は、本体部３１における対向する一対の壁部（４０ａ、４０ｂ）から本体部３１の内側に向かってそれぞれ片持ち状に延びる板バネ状の部分として設けられている。また、一対の接点バネ部（３９ａ、３９ｂ）は、一対の壁部（４０ａ、４０ｂ）から本体部３１の長手方向に対して斜めの方向に沿って本体部３１の内側に向かって互いに接近するようにそれぞれ片持ち状に延びている。更に、一対の接点バネ部（３９ａ、３９ｂ）は、一対の壁部（４０ａ、４０ｂ）から、電線１００の挿入口３２ａへの挿入方向に沿って延びるにつれて互いに接近するようにそれぞれ片持ち状に延びている。そして、一対の接点バネ部（３９ａ、３９ｂ）は、挿入口３２ａから挿入された電線１００における導体１００ｂを両側から挟むように構成されている。また、電気接点部（３８ａ、３８ｂ）は、片持ち状に延びる一対の接点バネ部（３９ａ、３９ｂ）のそれぞれの先端側に設けられている。より具体的には、電気接点部３８ａは、片持ち状に延びる接点バネ部３９ａの先端側において接点バネ部３９ａと一体に設けられている。そして、電気接点部３８ｂは、片持ち状に延びる接点バネ部３９ｂの先端側において接点バネ部３９ｂと一体に設けられている。
【００５２】
図９は、電気コネクタ１の断面を示す斜視図であって、電線１００とともに示す図である。尚、図９では、電線１００については、一部のみが図示されている。図２、図５乃至図７、図９に示す相手側接続部３４は、本体部３１に設けられ、相手側端子１０２に対して電気的に接続される部分として構成されている。相手側接続部３４は、端子１１がハウジング１２の挿入孔２１に挿入されてハウジング１２に装着された状態で、ハウジング１２の端子接続用孔２２から挿入された相手側端子１０２に対して接触する。これにより、相手側接続部３４は、相手側端子１０２に電気的に接続される。
【００５３】
相手側接続部３４は、本体部３１における電線挿入部３２側の端部と反対側の端部において、本体部３１と一体に設けられている。尚、本体部３１における相手側接続部３４が設けられている端部には、相手側端子１０２が挿入される開口が設けられている。また、相手側接続部３４には、相手側端子１０２に対する接触圧力を確保するためのバネ構造３４ａが設けられている。尚、本実施形態では、バネ構造３４ａは、略１８０度近くに亘って半円状に屈曲形成された板バネ状のバネ構造として構成されている。
【００５４】
図６乃至図９に示す位置決め部３５は、本体部３１に設けられ、挿入口３２ａに挿入された電線１００の導体１００ｂの先端部が当接して位置決めされる部分として構成されている。位置決め部３５は、本体部３１の長手方向における中途部分において本体部３１の内側に配置された一対の当接部（３５ａ、３５ｂ）を含んで構成されている（図８を参照）。
【００５５】
一対の当接部（３５ａ、３５ｂ）のそれぞれは、本体部３１の内側において、挿入口３２ａに挿入された電線１００の導体１００ｂの先端部が当接する部分として設けられている。一対の当接部（３５ａ、３５ｂ）は、本体部３１における対向する一対の壁部（４１ａ、４１ｂ）から本体部３１の内側に向かってそれぞれ片持ち状に延びる板状の部分として設けられている。また、一対の当接部（３５ａ、３５ｂ）は、本体部３１の長手方向に対して垂直な方向に沿って広がる板状の部分として設けられている。このため、挿入口３２ａから本体部３１の長手方向に沿って本体部３１の内部に挿入された電線１００の導体１００ｂの先端部が、一対の当接部（３５ａ、３５ｂ）に当接する。これにより、端子１１に接続される電線１００の先端部の位置の位置決めが行われることになる。
【００５６】
図６、図７、図９に示す係合部３６は、本体部３１に設けられ、片持ち状に延びる板バネ状の部分を有してハウジング１２における挿入孔２１の内側からハウジング１２に係合する部分として構成されている。より具体的には、係合部３６は、本体部３１から本体部３１の長手方向に対して斜めの方向で本体部３１の外側に向かって片持ち状に延びる板バネ状の部分を有している。そして、係合部３６は、端子１１がハウジング１２の挿入孔２１に挿入されてハウジング１２に装着される際に、ハウジング１２の被係合部２３に遊嵌状態で嵌まり込んで係合するように構成されている。尚、本実施形態では、係合部３６として、本体部３１の底壁部４２の一部が本体部３１の外側に向かって切り起こされることで形成され、底壁部４２から外側に向かって斜めに突出した形態の係合部３６を例示している。
【００５７】
端子１１がハウジング１２の挿入孔２１に挿入されると、片持ち状に延びる板バネ状の係合部３６は、一旦、本体部３１の内側に向かって撓む。そして、端子１１が挿入孔２１の奥側まで挿入され、ハウジング１２の背面側で開口した領域まで係合部３６が達すると、係合部３６は弾性回復する。そして、ハウジング１２の背面側で開口した領域の縁部として設けられた被係合部２３に対して、係合部３６が、遊嵌状態で嵌まり込んで係合する。
【００５８】
図５乃至図７に示すフック部３７は、略角筒状の基本外形を有する本体部３１の形状を維持するためのフック状の部分として設けられている。端子１１は、前述の通り、適宜打ち抜き加工及び切除加工等が施された１枚の金属板が折り曲げ加工されることで形成されている。このため、端子１１の本体部３１は、折り曲げ加工後の弾性回復の影響、或いは、外力の影響によって、本体部３１の略角筒状の部分が開いてしまう方向に変位する虞がある。これに対し、フック部３７は、本体部３１と一体に設けられて、本体部３１の略角筒状の部分が開いてしまう方向の変位を規制するフック状の部分として設けられている。このため、端子１１は、フック部３７が設けられていることで、折り曲げ加工後の弾性回復の影響、或いは、外力の影響によらず、略角筒状の基本外形を有する本体部３１の形状が維持されている。
【００５９】
［端子及び電気コネクタの作動］
次に、端子１１と電線１００との接続動作時の端子１１の作動、端子１１のハウジング１２への装着時の端子１１の作動、及び、電気コネクタ１と相手側コネクタ１０１との接続動作時の端子１１及び電気コネクタ１の作動について、更に説明する。
【００６０】
端子１１と電線１００とが接続される際には、電線１００の先端部が、端子１１の本体部３１の電線挿入部３２における挿入口３２ａに挿入される（図５を参照）。そして、挿入口３２ａに挿入された電線１００の先端部は、挿入口３２ａによって本体部３１の内部での挿入方向を案内されながら、本体部３１の奥側に挿入され、本体部３１の内部で一対の接点バネ部（３９ａ、３９ｂ）の間に挿通される（図８を参照）。一対の接点バネ部（３９ａ、３９ｂ）の間に挿通された電線１００の先端部は、本体部３１における一対の接点バネ部（３９ａ、３９ｂ）の位置よりも更に奥側に挿入されることで、位置決め部３５の一対の当接部（３５ａ、３５ｂ）に当接する（図８を参照）。これにより、端子１１に接続される電線１００の先端部の位置の位置決めが行われ、本体部３１への電線１００の挿入動作が完了する。
【００６１】
また、本体部３１への電線１００の挿入動作が完了し、一対の接点バネ部（３９ａ、３９ｂ）の間に電線１００の先端部が挿通された状態では、電線１００の先端部における露出した導体１００ｂが、一対の接点バネ部（３９ａ、３９ｂ）で挟み込まれている。そして、電線１００の先端部の導体１００ｂは、一対の接点バネ部（３９ａ、３９ｂ）の先端側の一対の電気接点部（３８ａ、３８ｂ）に対して接触して電気的に接続されている（図８を参照）。また、電線１００は、一対の接点バネ部（３９ａ、３９ｂ）で挟み込まれることで、端子１１に対して固定された状態で保持されている。このように、本体部３１への電線１００の挿入動作が完了することで、端子１１と電線１００とが機械的及び電気的に接続され、端子１１と電線１００との接続が完了する。
【００６２】
端子１１と電線１００とが接続されると、次いで、電線１００が接続された端子１１が、ハウジング１２に装着される。ハウジング１２に対しては、それぞれ電線１００が接続された複数の端子１１が装着される。各端子１１は、本体部３１がハウジング１２の各挿入孔２１に挿入されてハウジング１２に装着されることで、ハウジング１２に装着される（図２、図３、図９を参照）。
【００６３】
端子１１の本体部３１が挿入孔２１に挿入される際には、端子１１の係合部３６は、ハウジング１２の被係合部２３に対して遊嵌状態で嵌まり込んで係合する。このため、端子１１がハウジング１２に挿入されて装着された際には、端子１１は、ハウジング１２に対して、遊嵌状態で且つ抜け止めされた状態で、保持される。各端子１１がハウジング１２の各挿入孔２１に挿入されてハウジング１２に保持されることで、各端子１１のハウジング１２への装着動作が完了する。また、電線１００が接続された端子１１がハウジング１２に装着されることで、電線１００と電気コネクタ１との接続動作も完了する。
【００６４】
尚、上記においては、電線１００が接続された状態の端子１１がハウジング１２に対して挿入されて装着される形態を例にとって説明したが、この通りでなくてもよい。端子１１がハウジング１２に対して挿入されて装着された状態で、電線１００が接続されてもよい。
【００６５】
また、図１、図２及び図９においては、複数の端子１１の全てがハウジング１２に対して挿入されて装着された形態を例にとって説明したが、この通りでなくてもよい。複数の端子１１の一部が、ハウジング１２に対して挿入されて装着される形態が実施されてもよい。即ち、ハウジング１２における複数の挿入孔２１のうちの一部の挿入孔２１に対してのみ端子１１が挿入されて装着されてもよい。例えば、図１、図２及び図９に示す電気コネクタ１のようにハウジング１２に４つの挿入孔２１が設けられた形態の場合であれば、４つの挿入孔２１のうちの一部の挿入孔２１（１つ乃至３つの挿入孔２１）に対してのみ端子１１が挿入されて装着されてもよい。このように、一部の挿入孔２１のみに対して端子１１を装着することにより、電気コネクタ１と相手側コネクタ１０１との接続の際に形成することが必要とされる回路のみに応じて、相手側端子１０２に対して端子１１を接続してもよい。
【００６６】
複数の端子１１がハウジング１２に装着されて複数の電線１００が電気コネクタ１に接続された状態になると、次いで、電気コネクタ１と相手側コネクタ１０１との接続動作が行われる（図１及び図２を参照）。電気コネクタ１と相手側コネクタ１０１とを接続する際には、ハウジング１２の一対の接続ガイド２５を端子台１０３の幅方向の両側の縁部に沿って摺動させるように上下方向に変位させながら、ハウジング１２を端子台１０３に接続する。ハウジング１２が一対の接続ガイド２５にて端子台１０３に沿って上下方向に摺動して端子台１０３の奥側まで相対変位すると、ハウジング１２のロックアーム２４の係合凸部２４ｃが端子台１０３のハウジングロック部１０３ａに係合する。これにより、ハウジング１２と端子台１０３とが機械的に接続される。
【００６７】
また、上記のようにハウジング１２と端子台１０３とが接続される際には、相手側コネクタ１０１の各相手側端子１０２が、ハウジング１２の端子接続用孔２２からハウジング１２の内部の挿入孔２１内に挿入される。そして、端子接続用孔２２からハウジング１２の内部に挿入された各相手側端子１０２は、ハウジング１２の挿入孔２１に挿入されてハウジング１２に装着された状態の端子１１の相手側接続部３４に接触する。これにより、相手側接続部３４が相手側端子１０２に電気的に接続され、端子１１が相手側端子１０２に対して電気的に接続される。尚、相手側接続部３４にはバネ構造３４ａが設けられているため、相手側接続部３４と相手側端子１０２との間の接触圧力が確保され、端子１１と相手側端子１０２との間の安定した電気的な接続が確保される。
【００６８】
尚、上記においては、電気コネクタ１に接続される複数の電線１００が、全て同じ種類の電線１００である場合を例にとって説明したが、この通りでなくてもよい。例えば、電気コネクタ１に対して異なる種類の電線が接続される形態が実施されてもよい。また、上記においては、ハウジング１２に対して同じ種類の複数の端子１１が装着される形態を例にとって説明したが、この通りでなくてもよい。例えば、ハウジング１２に対して、端子１１とともに、端子１１とは異なる種類の端子が装着される形態が実施されてもよい。
【００６９】
図１０は、電気コネクタ１の分割斜視図であって、相手側コネクタ１０１とともに示す図である。図１０においては、電気コネクタ１に対して異なる種類の電線１００及び１０４が接続される形態を例示している。また、図１０においては、ハウジング１２に対して、端子１１とともに、端子１１とは異なる種類の端子である圧着端子１０５が装着される形態を例示している。
【００７０】
電線１０４は、導電性を有する金属線材として構成された導体１０４ｂと、絶縁性を有するゴム材料等で構成されて導体１０４ｂの周りを被覆する被覆部１０４ａと、を備えて構成されている。電線１０４の導体１０４ｂは、複数本の金属線材が撚られて形成された撚り線として構成されている。また、電線１０４の先端部は、導体１０４ｂが外部に露出するように、被覆部１０４ａの一部が除去されている。圧着端子１０５は、電線１０４に対して圧着により接続される端子として構成されている。圧着端子１０５には、電線１０４の先端部の導体１０４ｂに対してかしめられて圧着されるかしめ部１０５ａが設けられている。即ち、圧着端子１０５は、かしめ部１０５ａにて電線１０４の先端部の導体１０４ｂにかしめられることで、電線１００に圧着されて接続される。
【００７１】
図１０に示す形態においては、電線１００に接続された端子１１と、電線１０４に接続された圧着端子１０５とが、ハウジング１２に対して装着される。端子１１は、ハウジング１２の挿入孔２１に挿入されてハウジング１２に装着され、圧着端子１０５も、ハウジング１２の挿入孔２１に挿入されてハウジング１２に装着される。このように、電気コネクタ１に対して異なる種類の電線１００及び１０４が接続される形が実施されてもよい。また、ハウジング１２に対して、端子１１とともに、端子１１とは異なる種類の端子である圧着端子１０５が装着される形態が実施されてもよい。
【００７２】
［本実施形態の作用効果］
本実施形態によると、端子１１は、電線１００が挿入される電線挿入部３２と、挿入された電線１００の導体１００ｂに接続される導体接続部３３と、相手側端子１０２に接続される相手側接続部３４とが設けられ、ハウジング１２に挿入される本体部３１、を備えて構成される。このため、本実施形態によると、電線１００が接続されるとともに電気コネクタ１のハウジング１２に装着された状態で相手側端子１０２に接続されて用いられる電気コネクタ１用の端子１１を、簡素な構造で実現することができる。よって、本実施形態によると、端子構造が複雑化及び大型化をすることを抑制することができる。また、電線挿入部３２、導体接続部３３、及び相手側接続部３４が設けられた本体部３１を含む１つの部品で端子１１を構成することができる。よって、本実施形態の端子１１によると、部品点数の増大も抑制することができる。
【００７３】
また、本実施形態によると、電線挿入部３２、導体接続部３３、及び相手側接続部３４が設けられた本体部３１をハウジング１２に挿入するだけで、端子１１をハウジング１２に装着することができる。よって、本実施形態によると、端子１１をハウジング１２に容易に装着することができる。更に、本実施形態の端子１１によると、端子１１の本体部３１の端部の電線挿入部３２の挿入口３２ａから電線１００の先端部を挿入し、本体部３１に設けられた導体接続部３３に電線１００の導体１００ｂを接続することで、端子１１と電線１００とを接続する作業を容易に行うことができる。また、端子１１に接続された電線１００は、端子１１の本体部３１の端部の電線挿入部３２において、電線１００の挿入口３２ａへの挿入方向に対する垂直な方向における電線１００の移動を規制される。このため、端子１１に接続された電線１００が端子１１から過度に変位して端子１１と電線１００との接続状態が不安定となってしまうことが抑制され、端子１１と電線１００との安定した接続状態が維持される。
【００７４】
以上のように、本実施形態によると、端子構造が複雑化及び大型化することを抑制できるとともに、部品点数の増大も抑制でき、更に、電線１００の接続及びハウジング１２への装着を容易に行うことができる、端子１１を提供することができる。また、本実施形態によると、端子構造が複雑化及び大型化することを抑制できるとともに、部品点数の増大も抑制でき、更に、電線１００の接続及びハウジング１２への装着を容易に行うことができる端子１１を備える電気コネクタ１を提供することができる。
【００７５】
また、本実施形態によると、端子１１の本体部３１の端部において電線１００の先端部が挿入される挿入口３２ａが、貫通孔として設けられる。このため、電線１００を端子１１に接続する作業が行われる際、電線１００の先端部を端子１１の端部の貫通孔に挿入する作業が行われるだけでよい。このため、端子１１と電線１００とを接続する作業を更に容易に行うことができる。また、電線１００を挿入するための挿入口３２ａが貫通孔として設けられるため、電線１００の先端部の挿入の際に電線１００の先端部を誘い込み易い挿入口３２ａの構造を実現することができる。よって、電線１００の先端部を誘い込み易く、電線１００を挿入して接続し易い端子１１を実現することができる。
【００７６】
また、本実施形態によると、導体接続部３３が、それぞれ先端側に電気接点部（３８ａ、３８ｂ）が設けられて片持ち状に延びる一対の接点バネ部（３９ａ、３９ｂ）を備えて構成される。そして、端子１１の本体部３１の端部の挿入口３２ａから挿入された電線１００の先端部の導体１００ｂは、本体部３１の内側において、一対の接点バネ部（３９ａ、３９ｂ）で挟まれ、一対の接点バネ部（３９ａ、３９ｂ）の先端側の電気接点部（３８ａ、３８ｂ）にて接触して端子１１に対して電気的に接続される。このため、端子１１の本体部３１の挿入口３２ａから挿入した電線１００を本体部３１の内側の導体接続部３３に容易に接続することができるとともに、電線１００と導体接続部３３とをより強固で安定した状態で接続することができる。
【００７７】
また、本実施形態によると、端子１１の本体部３１の端部の挿入口３２ａから挿入した電線１００を、本体部３１に設けられた位置決め部３５に電線１００の導体１００ｂの先端部が当接する位置まで端子１１に対して挿入するだけで、端子１１に対して電線１００を容易に位置決めすることができる。このため、本実施形態によると、電線１００を端子１１に対して適正位置まで挿入して容易に位置決めする構造を実現することができる。
【００７８】
また、本実施形態の電気コネクタ１によると、端子１１の本体部３１における板バネ状の部分を有する係合部３６がハウジング１２の挿入孔２１の内側からハウジング１２に係合する。このため、端子１１をハウジング１２に挿入して装着した際に、ハウジング１２に抜け止めされた状態で端子１１を容易にハウジング１２に保持させることができる。そして、ハウジング１２の被係合部２３は、端子１１の係合部３６が遊嵌状態で嵌まり込んで係合するように構成されている。これにより、電気コネクタ１が相手側コネクタ１０１に接続されて、電気コネクタ１における端子１１が相手側コネクタ１０１における相手側端子１０２に接続される際に、端子１１が、相手側端子１０２との位置関係に応じて、ハウジング１２内で変位することができる。このため、端子１１と相手側端子１０２との接続の際に、相手側端子１０２との位置関係に応じて相手側端子１０２を誘い込むように端子１１をハウジング１２内で変位させることができ、端子１１と相手側端子１０２とを容易に接続することができる。従って、端子１１と相手側端子１０２との位置関係において公差程度のずれ量があった場合であっても、そのずれ量を容易に吸収して端子１１と相手側端子１０２とを容易に接続することができる。
【００７９】
［変形例］
以上、本発明の一実施の形態について説明したが、本発明は上述の実施の形態に限られるものではなく、特許請求の範囲に記載した限りにおいて様々な変更が可能なものである。例えば、次のように変更して実施してもよい。
【００８０】
（１）前述の実施形態では、電気コネクタが接続される相手側コネクタとして、基板に接続される相手側コネクタの形態を例示したが、この通りでなくてもよい。電気コネクタが接続される相手側コネクタは、電線とは異なる他の電線に対して接続される相手側コネクタの形態であってもよい。
【００８１】
（２）前述の実施形態では、ハウジングにおいて端子の本体部が挿入される挿入孔が複数設けられ、ハウジングが複数の端子を保持する電気コネクタの形態を例にとって説明したが、この通りでなくてもよい。ハウジングにおいて端子の本体部が挿入される挿入孔が１つ設けられ、ハウジングが１つの端子を保持する電気コネクタの形態が実施されてもよい。
【００８２】
（３）前述の実施形態では、ハウジングの被係合部に対して端子の係合部が遊嵌状態で嵌まり込んで係合するように構成された電気コネクタの形態を例示したが、この通りでなくてもよい。ハウジングに対して端子が遊嵌状態で保持される電気コネクタの形態ではなく、ハウジングに対して端子が相対変位しない状態で固定されて保持される電気コネクタの形態が実施されてもよい。例えば、ハウジングの挿入孔に対して端子の本体部が圧入されて挿入されることでハウジングに対して端子の本体部が装着され、これにより、ハウジングに対して端子が相対変位しない状態で固定されて保持される電気コネクタの形態が実施されてもよい。
【００８３】
（４）前述の実施形態では、端子の電線挿入部の挿入口が、円形の貫通孔として構成された形態を例にとって説明したが、この通りでなくてもよい。挿入口が円形以外の形状の貫通孔として構成された電線挿入部を有する端子の形態が実施されてもよい。また、前述の実施形態では、挿入口が電線の直径寸法に対応した孔径を有する貫通孔として構成された電線挿入部の形態を例にとって説明したが、この通りでなくてもよい。挿入口が電線の直径寸法よりも十分に大きい孔径を有する貫通孔として構成された電線挿入部を有する端子の形態が実施されてもよい。
【００８４】
（５）また、前述の実施形態では、電線挿入部の挿入口が貫通孔として構成された形態を例にとって説明したが、この通りでなくてもよい。電線挿入部が貫通孔以外の形態の挿入口を区画するように構成された端子の形態が、実施されてもよい。例えば、電線が挿入される挿入口が凹み溝状の挿入口として構成された電線挿入部を有する端子の形態が、実施されてもよい。この場合、挿入口は、例えば、挿入された電線が遊嵌状態で係止された状態で嵌まり込むことが可能なように形成された凹み溝状の挿入口として構成されてもよい。
【００８５】
（６）前述の実施形態では、電線の挿入口への挿入方向に対する垂直な方向における電線の移動を規制するように構成された電線挿入部が、電線を直接に保持していない形態を例にとって説明したが、この通りでなくてもよい。電線挿入部が、挿入口に挿入された電線を直接に保持するように構成されていてもよい。例えば、電線挿入部において、挿入口に挿入された電線を挟み込んで保持するバネ部が設けられた形態が実施されてもよい。このように、挿入口に挿入された電線を保持することで、電線の挿入口への挿入方向に対する垂直な方向における電線の移動を規制するように構成されている電線挿入部の形態が、実施されてもよい。
【００８６】
（７）前述の実施形態では、端子の本体部が、略角筒状の基本外形を有する形態を例にとって説明したが、この通りでなくてもよい。略角筒状以外の基本外形を有する本体部を備えた端子の形態が実施されてもよい。例えば、一対の両壁部とその両壁部を連結する底壁部とを有して上壁部が設けられていない形態の基本外形を有する本体部を備えた端子の形態が実施されてもよい。
【００８７】
（８）前述の実施形態では、導体接続部が、それぞれの先端側に電気接点部が設けられた一対の接点バネ部を備えて構成された形態を例にとって説明したが、この通りでなくてもよい。導体接続部は、挿入口に挿入された電線の導体に対して電気的に接続される形態であればよい。例えば、先端側に電気接点部が設けられた１つの接点バネ部を備えて構成された導体接続部の形態が実施されてもよい。また、挿入口から挿入された電線に対して押し込まれるように変形されることで電線の被覆部の内側まで差し込まれて電線の導体に食い込む爪部を有する導体接続部の形態が実施されてもよい。
【００８８】
（９）前述の実施形態では、相手側接続部が、略１８０度近くに亘って半円状に屈曲形成された板バネ状のバネ構造を有する形態を例にとって説明したが、この通りでなくてもよい。相手側接続部は、端子において相手側端子に対して電気的に接続される部分として構成される形態であればよい。相手側接続部の形状は、相手側端子の形状に応じて種々変更されてもよい。そして、相手側接続部の形状は、相手側端子に接触するとともに相手側端子との間で接触圧力を発生させる形状であればよい。例えば、相手側端子に接触する一対の接点バネ部を有する相手側接続部の形態が実施されてもよい。また、板バネ状のバネ部と、そのバネ部に設けられるとともに相手側端子に接触する半球状の凸部と、を有する相手側接続部の形態が実施されてもよい。
【産業上の利用可能性】
【００８９】
本発明は、電線が接続されるとともに電気コネクタのハウジングに装着された状態で相手側端子に接続されて用いられる電気コネクタ用の端子、及びその端子を備える電気コネクタに関して、広く適用することができるものである。
【符号の説明】
【００９０】
１                  電気コネクタ
１１                端子
１２                ハウジング
３１                本体部
３２                電線挿入部
３２ａ              挿入口
３３                導体接続部
３４                相手側接続部
１００              電線
１００ｂ            導体
１０２              相手側端子
【図１】
2019029055.tif 000003
【図２】
2019029055.tif 000004
【図３】
2019029055.tif 000005
【図４】
2019029055.tif 000006
【図５】
2019029055.tif 000007
【図６】
2019029055.tif 000008
【図７】
2019029055.tif 000009
【図８】
2019029055.tif 000010
【図９】
2019029055.tif 000011
【図１０】
2019029055.tif 000012